(57)【要約】    【課題】  チョコレートの消費者がチョコレート販売店で購入したチョコレートを、自宅に持ち帰える手間、自宅で保管する手間を省く。また、チョコレートと飲み物を飲食する際、飲み物を用意する手間を省く。    【解決手段】  チョコレートを陳列する機器２を設置して、チョコレートを消費者に販売する店舗において、販売したチョコレートをチョコレートの購入者毎に識別して保管する保管庫３と、飲み物を提供するための機器、及び、チョコレート又はチョコレートと飲み物を飲食するためのテーブル２２と椅子２３を設置した。【選択図】  図１
2007046265.tif 000002
【特許請求の範囲】
【請求項１】
チョコレートを陳列する機器を設置して、チョコレートを消費者に販売する店舗において、
販売したチョコレートをチョコレートの購入者毎に識別して保管する保管庫と、
飲み物を提供するための機器、及び、
チョコレート又はチョコレートと飲み物を飲食するためのテーブルと椅子
を設置していることを特徴とするチョコレート販売店舗。
【請求項２】
チョコレートを作る機器を設置していることを特徴とする請求項１に記載のチョコレート販売店舗。
【請求項３】
販売したチョコレートをチョコレートの購入者毎に識別して保管する保管庫は、庫内のチョコレートの温度をチョコレート保管用の適温に維持する温度制御装置付き保管庫であることを特徴とする請求項１又は２に記載のチョコレート販売店舗。
【請求項４】
販売したチョコレートをチョコレートの購入者毎に識別して保管する保管庫は、庫内に、購入者のチョコレートを入れて置く区域を多数設け、各区域に、それぞれ、チョコレートを密閉する蓋付き容器を備え、識別符号を付けた保管庫であることを特徴とする請求項１、２又は３に記載のチョコレート販売店舗。
【発明の詳細な説明】
【技術分野】
【０００１】
本発明は、チョコレートを販売する店舗の機器配置技術に関する。
【背景技術】
【０００２】
チョコレートを販売する店は、ショーケースを設置し、ショーケースにチョコレートを陳列している。
【０００３】
チョコレートの消費者は、チョコレート販売店でチョコレートを購入し、自宅に持ち帰る。チョコレートは、自宅の室内又は冷蔵庫で保管し、食べたいときに食べる。その際、飲み物も欲しいときは、飲み物を用意し、チョコレートと飲み物を飲食する。チョコレートの残りは、再び、自宅の室内又は冷蔵庫で保管し、その後、食べる。
【０００４】
【特許文献１】不知
【発明の開示】
【発明が解決しようとする課題】
【０００５】
チョコレートの消費者は、チョコレート販売店で購入したチョコレートを、自宅に持ち帰える手間を省き、自宅で保管する手間を省きたい。また、チョコレートと飲み物を飲食する際、飲み物を用意する手間を省きたい。消費者は、チョコレート販売店でチョコレートを購入し、その際とその後、その販売店でチョコレート又はチョコレートと好みの飲み物を飲食したい。
【０００６】
ところが、チョコレート販売店は、チョコレートを販売するが、販売したチョコレートを、販売店でチョコレートの購入者のために保管することをしないし、販売店で購入者に食べさせない。また、飲み物を販売しないし、販売店で購入者にチョコレートと飲み物を飲食させない。
【０００７】
換言すると、チョコレートを販売する店舗は、チョコレートのショーケースを設置しているが、販売したチョコレートをチョコレートの購入者のために保管する保管庫を設置していないし、購入者がチョコレートを食べるためのテーブルと椅子を設置していない。また、飲み物をチョコレートの購入者に販売してチョコレートと一緒に飲食させるための機器を設置していない。
【０００８】
［課題を解決するための着想］
１）チョコレート販売店は、チョコレートを販売し、チョコレートの購入者が望めば、販売したチョコレートを販売店で購入者のために保管し、その際とその後、購入者が望めば、保管中のチョコレートを販売店で食べさせることにした。また、購入者が望めば、飲み物も販売し、購入者に飲み物をチョコレートと一緒に飲食させることにした。
【０００９】
換言すると、チョコレートを販売する店舗は、ショーケース即ち「チョコレートを陳列する機器」の外に、「販売したチョコレートを購入者毎に識別して保管する保管庫」と、「飲み物を提供するための機器」、及び、「チョコレート又はチョコレートと飲み物を飲食するためのテーブルと椅子」を設置することにした。
【００１０】
「販売したチョコレートをチョコレートの購入者毎に識別して保管する保管庫」とは、「庫内に、購入者のチョコレートを入れて置く区域を多数設け、各区域に識別符号を付けた保管庫」が代表例である。このチョコレート保管庫は、チョコレートを適正に保管するため、「庫内のチョコレートの温度をチョコレート保管用の適温に維持する温度制御装置付き保管庫」であることが望ましい。
【００１１】
「飲み物を提供するための機器」とは、「コーヒや紅茶のような飲み物を作る機器」や、「缶ジュースやボトル詰め飲料のような既製品の飲み物を販売用に貯えて置く貯蔵庫」が代表例である。
【００１２】
２）上記のチョコレート販売店は、既製品のチョコレートを販売する外に、消費者の注文によって消費者の好みに合ったチョコレートを作って注文品のチョコレートを販売することにした。
【００１３】
注文品のチョコレートとは、「原料のカカオ豆の種類や産地を消費者が選択したチョコレート」や、「カカオ含有量やミルク含有量を消費者が指定したチョコレート」が代表例である。
【００１４】
換言すると、チョコレートを販売する店舗は、「チョコレートを作る機器」も設置することにした。
【００１５】
「チョコレートを作る機器」とは、原料のカカオ豆を焙煎し、粉砕し、ミルクなどの他の原料と混合し、加熱して練り上げ、冷却して固化する一連の製造工程に必要な機器の全部又は一部である。カカオ豆の焙煎機や粉砕機などの一部の機器は、販売店舗に設置せずに、製造工場に設置しておいてもよい。
【課題を解決するための手段】
【００１６】
１）「チョコレートを陳列する機器」を設置して、チョコレートを消費者に販売する店舗において、
「販売したチョコレートをチョコレートの購入者毎に識別して保管する保管庫」と、
「飲み物を提供するための機器」、及び、
「チョコレート又はチョコレートと飲み物を飲食するためのテーブルと椅子」
を設置していることを特徴とするチョコレート販売店舗。
【００１７】
２）上記のチョコレート販売店舗において、
「チョコレートを作る機器」を設置していることを特徴とする。
【００１８】
３）上記のチョコレート販売店舗において、
「販売したチョコレートをチョコレートの購入者毎に識別して保管する保管庫」は、「庫内のチョコレートの温度をチョコレート保管用の適温に維持する温度制御装置付き保管庫」であることを特徴とする。
【００１９】
４）上記のチョコレート販売店舗において、
「販売したチョコレートをチョコレートの購入者毎に識別して保管する保管庫」は、「庫内に、購入者のチョコレートを入れて置く区域を多数設け、各区域に、それぞれ、チョコレートを密閉する蓋付き容器を備え、識別符号を付けた保管庫」であることを特徴とする。
【発明の効果】
【００２０】
チョコレート販売店舗において、消費者は、購入したチョコレートを保管してもらうことができ、その際とその後、飲み物を購入して又は購入せずに、テーブルと椅子で、チョコレート又はチョコレートと飲み物を飲食することができる。
【００２１】
消費者は、購入したチョコレートを自宅に持ち帰って保管する手間が省かれる。チョコレートを飲み物と一緒に飲食したいときに、飲み物を用意する手間が省かれる。
【００２２】
また、チョコレート販売店舗において、消費者は、自分の好みに合った注文品のチョコレートを、保管してもらうことができ、飲み物と一緒に又は単独で飲食することができる。
【発明を実施するための最良の形態】
【００２３】
チョコレート販売店舗は、百貨店の売り場の一区画で、長方形状の区画であり、区画の４辺に来店者の歩行通路が接している。この区画には、図１に示すように、図の左下の隅部に金銭登録器１を設置し、金銭登録器１の隣にチョコレートのショーケース２を区画の側辺に沿って設置している。チョコレートを消費者に販売する店舗である。
【００２４】
ショーケース２の反対側には、販売したチョコレートをチョコレートの購入者毎に識別して保管する保管庫３を区画の側辺に沿って設置している。保管庫３の前側には、チョコレートの保管に関する事務を行うデスク４を設置している。
【００２５】
保管庫３は、図２と図３に示すように、上部に温度制御装置１１を内蔵し、温度制御装置１１の下側に保管室１２を設けている。温度制御装置１１は、保管室１２の温度を設定温度に維持する。保管室１２は、背面板を透明ガラス板にし、前面に透明ガラス板の引き戸を設け、内部に棚１３を設置している。棚１３は、上下左右に仕切って、前後を開放した多数の区域を設けている。各区域は、それぞれ、内部に陶器製の蓋付き容器１４を備え、前側下端に識別符号票１５を付けている。
【００２６】
温度制御装置１１付き保管庫３においては、各区域の蓋付き容器１４に、それぞれ、各購入者のチョコレートを入れて密閉する。各区域は、それぞれ、各購入者のチョコレートを蓋付き容器１４に密閉した状態で置いておく。蓋付き容器１４内のチョコレートの温度がチョコレート保管用の適温になるように、保管室１２の温度が設定される。保管室１２は、前面の引き戸を開けると、室温が変化するが、蓋付き容器１４内のチョコレートの温度は、保管室１２の温度程には変化しない。蓋付き容器１４内のチョコレートは、保管用の適温に維持され易い。
【００２７】
デスク４では、店員は、チョコレートの購入者がチョコレートの保管を望めば、販売したチョコレートを保管庫３の棚１３のいずれかの区域に蓋付き容器１４に密閉した状態で保管する一方、その区域の識別符号票１５の識別符号を記入した預かり証を発行してチョコレートの購入者に手渡す。また、預かり証を持参した者が保管中のチョコレートの受け取りを望めば、その預かり証の識別符号と同じ識別符号を付けた棚１３の区域に保管中のチョコレートを取り出して預かり証持参者に手渡す。
【００２８】
金銭登録器１とその向こう側の保管庫３との間は、図１に示すように、購入者や店員などの人の出入り口２１にしている。保管庫３の前側の奥には、チョコレート又はチョコレートと飲み物の飲食用のテーブル２２と長椅子２３を設置している。チョコレートの購入者は、チョコレート又はチョコレートと飲み物をその店舗で飲食することを望めば、長椅子２３に座り、テーブル２２にチョコレート又はチョコレートと飲み物を置き、それらを飲食する。保管中のチョコレートを受け取った預かり証持参者も、同様に、そのチョコレート又はチョコレートと飲み物をその店舗で飲食することを望めば、テーブル２２と長椅子２３でそれらを飲食する。
【００２９】
出入り口２１の反対側は、チョコレートと飲み物の厨房２４にしている。厨房２４は、既製品のチョコレートと注文品のチョコレートを作る機器と、飲み物を提供するための機器を設置している。
【００３０】
チョコレートを作る機器は、原料を計量する機器、原料のカカオ豆の粉末とミルクなどの他の原料を混合する機器、混合原料を加熱する機器、加熱原料を練り上げる機器と、練り上げ原料を冷却して固化する機器などである。カカオ豆の焙煎機と粉砕機は、製造工場に設置している。
【００３１】
飲み物を提供するための機器は、コーヒーメーカ、ティーポット、湯沸し器やアイスメーカなど、即ち、コーヒや紅茶のような飲み物を作る機器と、缶ジュースやボトル詰め飲料のような既製品の飲み物を販売用に貯えて置く温度制御装置付き貯蔵庫である。
【００３２】
消費者には、既製品のチョコレートを販売する外に、消費者の注文によって消費者の好みに合った注文品のチョコレートを作って販売する。
【００３３】
テーブル２２と長椅子２３でチョコレートを食べる者が飲み物を望めば、店員は、飲み物も販売し、消費者にチョコレートと飲み物を一緒に飲食させる。
【００３４】
［変形例］
１）上記の実施形態において、チョコレート又はチョコレートと飲み物を飲食するための椅子は、複数人が座る長椅子２３であるが、１人が座る個人用の椅子にする。
【００３５】
２）上記の実施形態において、チョコレート又はチョコレートと飲み物を飲食するためのテーブルは、個人用の丸型テーブル２２であるが、複数人用の長方形型テーブルにする。
【図面の簡単な説明】
【００３６】
【図１】本発明の実施形態におけるチョコレート販売店舗の部分横断概略平面図である。
【図２】同チョコレート販売店舗の温度制御装置付き保管庫の正面図。
【図３】図２のＡ−Ａ線断面図。
【符号の説明】
【００３７】
１  金銭登録器
２  チョコレートのショーケース、チョコレートを陳列する機器
３  保管庫、温度制御装置付き保管庫、販売したチョコレートをチョコレートの購入者毎に識別して保管する保管庫
４  デスク
１１  温度制御装置
１２  保管室
１３  棚
１４  陶器製の蓋付き容器
１５  識別符号票
２１  人の出入り口
２２  テーブル、チョコレート又はチョコレートと飲み物を飲食するためのテーブル
２３  長椅子、チョコレート又はチョコレートと飲み物を飲食するための椅子
２４  チョコレートと飲み物の厨房
【図１】
2007046265.tif 000003
【図２】
2007046265.tif 000004
【図３】
2007046265.tif 000005